(57)【要約】【課題】携帯端末のユーザがコンテンツ発行者の管理下で別のユーザにデジタルコンテンツを転送できるようにする方法を提供することを課題とする。【解決手段】本発明は、携帯電話網を介してデジタルコンテンツをダウンロードする方法に関し、リンクを含むマーキングデータを、前記ダウンロードされたデジタルコンテンツと関連付ける手段からなる工程を含み、前記マーキングデータは携帯端末によって認識されるように適合化される。本発明は、ユーザが前記携帯端末から別の端末へのコンテンツの転送を命じると、前記携帯端末が前記コンテンツと関連する前記マーキングデータを認識し、前記携帯端末が前記コンテンツと関連する前記リンクだけしか転送しない工程を含む、コンテンツを転送する方法にも関する。【選択図】図1
2006196000.tif 000002
【特許請求の範囲】
【請求項１】
デジタルコンテンツと関連するマーキングデータだけではなく、該デジタルコンテンツも第1の携帯端末に送信する段階からなる工程を含む携帯電話網（30）を介して第1の携帯端末（20）にデジタルコンテンツをダウンロードするための方法であって、該マーキングデータがリンクを含み、該マーキングデータが該第1の携帯端末（20）によって認識されるように適合化され、その結果該第1の携帯端末（20）のユーザ（10）が第2の端末（60）へのコンテンツの転送を命じると、該第1の携帯端末（20）は該コンテンツと関連するリンクだけを転送する方法。
【請求項２】
第1の携帯端末（20）から第2の端末（60）にデジタルコンテンツを転送するための方法であって、該デジタルコンテンツがリンクを含むマーキングデータと関連付けられ、
ユーザ（10）が該第1の携帯端末（20）から該第2の端末（60）への該コンテンツの転送を命じると、該第1の携帯端末（20）が該コンテンツと関連する該マーキングデータを認識し、
該第1の携帯端末（20）が該第2の端末（60）へ該コンテンツと関連するリンクだけを転送する工程を含む方法。
【請求項３】
マーキングデータが、デジタルコンテンツを含むファイルのヘッダの中に書き込まれる、請求項１または２記載の方法。
【請求項４】
リンクが、URLアドレスを含む、請求項１〜３のいずれか一項記載の方法。
【請求項５】
第2の端末（60）のユーザ（50）がリンクをアクティブにすると、第2の端末（60）がコンテンツダウンロードサービスへの加入のためのページに接続する、請求項１〜４のいずれか一項記載の方法。
【請求項６】
第2の端末（60）のユーザ（50）がリンクをアクティブにすると、リンクが低品質形式でのコンテンツのダウンロードを誘発する、請求項１〜５のいずれか一項記載の方法。
【請求項７】
デジタルコンテンツをダウンロードするためのサーバ（40）であって、該サーバ（40）はリンクを含むマーキングデータをデジタルコンテンツと関連付けるための手段を含み、該マーキングデータは携帯端末（20）によって認識されるように適合化され、その結果該携帯端末（20）のユーザ（10）が該第1の携帯端末（20）から別の端末（60）への該コンテンツの転送を命じると、該携帯端末（20）が該コンテンツと関連するリンクだけを転送するサーバ（40）。
【請求項８】
リンクを含むマーキングデータが関連付けられるデジタルコンテンツをダウンロードできる携帯電話（20）であって、該コンテンツと関連する該マーキングデータを認識するため、及びユーザ（10）が別の端末（60）への該コンテンツの転送を命じると、該コンテンツと関連するリンクだけを転送するための手段を含む携帯電話（20）。
【請求項９】
関連するマーキングデータだけではなくデジタルコンテンツも保存するための手段を含む、請求項8記載の携帯電話（20）。
【発明の詳細な説明】
【技術分野】
【０００１】
本発明は、携帯電話の分野に関する。
【０００２】
さらに詳細には、本発明はセルラー方式の携帯電話網を介したデジタルコンテンツ（画像、着信音、動画、プログラム、文書等）の交換に関する。
【背景技術】
【０００３】
今日では、超流通(Superdistribution)により携帯電話網に接続されている2つの端末（携帯電話または通信PDA）間のリンクを介してあるユーザから別のユーザへのコンテンツの伝送が可能である。
【０００４】
したがって、このコンテンツに関連する運用権（operating rights）の保護を希望するコンテンツ発行者にとってデジタル権利管理（DRM）が関心事になっている。
【０００５】
この状況では、コンテンツ発行者はユーザ間でのコンテンツの転送を管理することを目的として基準を定めざるを得ない。
【０００６】
例えば、OMA（オープンモバイルアライアンス）によって発行されたOMA DRM 1．0基準はコンテンツ保護の技法を説明している。これらの技法によると、コンテンツ発行者によって送信されるデジタルコンテンツを、特定の携帯電話が認識できる様々なレベルの所定のマーキングで示すことができる。
【０００７】
「Forward-lock」技法は、譲渡不可のようなコンテンツをマークする手段からなる。このようにマークされるコンテンツは、あるユーザによって別のユーザに転送することができない。
【０００８】
「Combined delivery」技法は、それがコンテンツに使用規定の適用もすることがでることを除き、「Forward-lock」に類似している。
【０００９】
「Separate delivery」技法は、暗号化されたファイルと関連する運用権の形でコンテンツを別々に送信することからなる。コンテンツ発行者から事前に許可を取得することを条件に、ユーザは別のユーザにコンテンツを転送できる。
【発明の開示】
【発明が解決しようとする課題】
【００１０】
本発明の1つの目的とは、携帯端末のユーザがコンテンツ発行者の管理下で別のユーザにデジタルコンテンツを転送できるようにする方法を提供することである。
【課題を解決するための手段】
【００１１】
この目的を達するために、本発明は携帯電話網を介して第1の携帯端末にデジタルコンテンツをダウンロードする方法を提供し、前記方法はデジタルコンテンツに関連するマーキングデータだけではなくデジタルコンテンツも第1の携帯端末に送信する段階からなる工程を含み、前記マーキングデータはリンクを含む。この方法では、前記マーキングデータは携帯端末によって認識されるように適合化され、その結果、第1の携帯端末のユーザが第2の端末へのコンテンツの転送を命令すると、第1の携帯端末はコンテンツに関連するリンクだけを転送する。
【００１２】
この方法に従って、コンテンツ発行者はリンクによりこのコンテンツが転送可能であることを示すためにデジタルコンテンツをマークすることができる。言い換えると、デジタルコンテンツは管理規則に関連付けられ、それに従ってコンテンツはそれ自体転送可能ではなく、それと関連するリンクだけがあるユーザから別のユーザに転送できる。
【００１３】
本発明（１）は、デジタルコンテンツと関連するマーキングデータだけではなく、該デジタルコンテンツも第1の携帯端末に送信する段階からなる工程を含む携帯電話網（30）を介して第1の携帯端末（20）にデジタルコンテンツをダウンロードするための方法であって、該マーキングデータがリンクを含み、該マーキングデータが該第1の携帯端末（20）によって認識されるように適合化され、その結果該第1の携帯端末（20）のユーザ（10）が第2の端末（60）へのコンテンツの転送を命じると、該第1の携帯端末（20）は該コンテンツと関連するリンクだけを転送する方法である。
本発明（２）は、第1の携帯端末（20）から第2の端末（60）にデジタルコンテンツを転送するための方法であって、該デジタルコンテンツがリンクを含むマーキングデータと関連付けられ、ユーザ（10）が該第1の携帯端末（20）から該第2の端末（60）への該コンテンツの転送を命じると、該第1の携帯端末（20）が該コンテンツと関連する該マーキングデータを認識し、該第1の携帯端末（20）が該第2の端末（60）へ該コンテンツと関連するリンクだけを転送する工程を含む方法である。
本発明（３）は、マーキングデータが、デジタルコンテンツを含むファイルのヘッダの中に書き込まれる、本発明（１）または（２）記載の方法である。
本発明（４）は、リンクが、URLアドレスを含む、本発明（１）〜（３）のいずれか一つ記載の方法である。
本発明（５）は、第2の端末（60）のユーザ（50）がリンクをアクティブにすると、第2の端末（60）がコンテンツダウンロードサービスへの加入のためのページに接続する、本発明（１）〜（４）のいずれか一つ記載の方法である。
本発明（６）は、第2の端末（60）のユーザ（50）がリンクをアクティブにすると、リンクが低品質形式でのコンテンツのダウンロードを誘発する、本発明（１）〜（５）のいずれか一つ記載の方法である。
本発明（７）は、デジタルコンテンツをダウンロードするためのサーバ（40）であって、該サーバ（40）はリンクを含むマーキングデータをデジタルコンテンツと関連付けるための手段を含み、該マーキングデータは携帯端末（20）によって認識されるように適合化され、その結果該携帯端末（20）のユーザ（10）が該第1の携帯端末（20）から別の端末（60）への該コンテンツの転送を命じると、該携帯端末（20）が該コンテンツと関連するリンクだけを転送するサーバ（40）である。
本発明（８）は、リンクを含むマーキングデータが関連付けられるデジタルコンテンツをダウンロードできる携帯電話（20）であって、該コンテンツと関連する該マーキングデータを認識するため、及びユーザ（10）が別の端末（60）への該コンテンツの転送を命じると、該コンテンツと関連するリンクだけを転送するための手段を含む携帯電話（20）である。
本発明（９）は、関連するマーキングデータだけではなくデジタルコンテンツも保存するための手段を含む、本発明（８）記載の携帯電話（20）である。
【発明の効果】
【００１４】
本発明により、携帯端末のユーザがコンテンツ発行者の管理下で別のユーザにデジタルコンテンツを転送できるようにする方法が提供された。
【発明を実施するための最良の形態】
【００１５】
本発明は、第1の携帯端末から第2の携帯端末に、リンクを含むマーキングデータと関連するデジタルコンテンツを転送するための方法も提供し、
ユーザが第1の携帯端末から第2の端末にコンテンツの転送を命じると、第1の携帯端末はコンテンツと関連するマーキングデータを認識し、
第1の携帯端末は第2の端末にコンテンツと関連するリンクだけを転送する
工程を含む。
【００１６】
このような方法を用いるとデジタルコンテンツと関連するリンクだけが第1のユーザから第2のユーザに転送できる。
【００１７】
したがって、本発明は前記設計のマーキング技法とマーキングを行わないコンテンツの伝送の中間となる技法を提供する。
【００１８】
ダウンロード方法、及び転送方法の1つの実施において、マーキングデータはデジタルコンテンツを含むファイルのヘッダの中に書き込まれる。
【００１９】
特に、リンクはURLアドレスを含む場合がある。
【００２０】
ダウンロード方法及び転送方法の1つの実施において、第2の端末のユーザがリンクをアクティブにすると、第2の端末がコンテンツダウンロードサービスの加入のためにページに接続する。
【００２１】
ダウンロード方法及び転送方法の1つの実施において、第2の端末のユーザがリンクをアクティブにすると、リンクは低品質形式でのコンテンツのダウンロードを誘発する。
【００２２】
本発明は、デジタルコンテンツをダウンロードするためのサーバにも関し、前記サーバはリンクを含むマーキングデータをデジタルコンテンツと関連付けるための手段を含み、前記マーキングデータは携帯端末により認識されるように適合化され、その結果前記携帯端末のユーザが第1の端末から別の端末への前記コンテンツの転送を命じると、前記携帯端末は前記コンテンツと関連するリンクだけを転送する。
【００２３】
本発明は、リンクを含むマーキングデータが関連付けられるデジタルコンテンツをダウンロードできる携帯電話にも関し、前記携帯電話は、コンテンツと関連する前記マーキングデータを認識し、ユーザが別の端末への前記コンテンツの転送を命じると、前記コンテンツと関連する前記リンクだけを転送するための手段を含む。
【００２４】
前記携帯電話は、前記関連するマーキングデータだけではなく、前記デジタルコンテンツも保存するための手段を含むことがある。
【実施例】
【００２５】
他の特徴及び優位点は以下の説明から明らかになり、本説明は単なる実例であり、非制限的であり、本発明を実現する1つの可能な方法に準じて、コンテンツの伝送のための方法の異なる工程を概略的に説明しているただ1つの添付図を参照して読まれるべきである。
【００２６】
前記提供されている伝送方法は、コンテンツをダウンロードするための方法、及びコンテンツを転送するための対応方法を含む。
【００２７】
前記コンテンツダウンロード方法は、以下の工程を含む。
【００２８】
第1の工程に従って、第1の携帯電話20の第1のユーザ10は携帯電話網30を介してサーバ40に接続する。前記サーバ40は、コンテンツ発行者によって管理されるデジタルコンテンツのダウンロードのためのサーバである。前記発行者によって提案されている前記コンテンツは、例えばビデオファイルまたは音楽ファイルを含むことがある。
【００２９】
前記第1の携帯電話20は、前記ユーザ10によって選ばれるコンテンツをダウンロードするという要求を前記サーバ40に送信する（矢印1）。
【００３０】
第2の工程に従って、前記サーバ40はそれが受け取る要求を処理し、返事として、前記携帯電話網30を介して、前記携帯電話20に前記コンテンツと前記関連するマーキングデータを含むファイルを送信する（矢印2）。
【００３１】
この第2の工程の間、前記サーバ40はマーキングデータを前記コンテンツと関連付ける。この目的を達するために、前記サーバ40は前記コンテンツを含む前記ファイルのヘッダの中に前記マーキングデータを挿入するための手段を含む。このマーキングデータは、前記コンテンツが代用リンクによってだけ転送できることを示す前記携帯電話20が認識できる情報だけではなく、前記代用リンクも含む。前記代用リンクは、URL（ユニバーサルリソースロケータアドレス）を含む。
【００３２】
第3の工程に従って、前記携帯電話20はそのメモリの中に前記ファイルを保存する。
【００３３】
本発明者らは、前記第1のユーザ10が、第2のユーザ50にダウンロードされたばかりの前記デジタルコンテンツの転送を希望すると仮定する。前記第2のユーザ50には第2の携帯電話60が備えられている。
【００３４】
前記コンテンツ転送方法は、以下の工程を含む。
【００３５】
第4の工程に従って、前記第1のユーザ10は前記第1の携帯電話20に、前記第2の携帯電話60に前記コンテンツを転送するように命じる。この目的を達するために、前記第1のユーザ10は例えば前記第2のユーザ50向けのMMSメッセージまたはe-メールをダイヤルし、前記メッセージに、彼が転送を希望する前記コンテンツを添付するために必要な動作を実行する。
【００３６】
前記第1のユーザ10が前記第1の携帯電話20から前記第2の携帯電話60に前記コンテンツの転送を命じると、前記第1の携帯電話20は前記コンテンツと関連する前記マーキングデータを認識する。
【００３７】
前記第1の携帯端末20は前記コンテンツを含む前記ファイルの前記ヘッダを読み取り、前記マーキングデータを特定するように実際にプログラミングされる。
【００３８】
前記第5の工程に従って、前記第1の携帯電話20は、前記コンテンツを転送できない旨を前記ユーザ20に示す警告メッセージを表示する。前記第1の携帯電話20は、前記第1のユーザ10に対し、前記コンテンツと関連する前記リンクを転送するように提案するメッセージも表示する。
【００３９】
前記第1のユーザ10は前記提案を受け入れるまたは拒絶することができる。
【００４０】
第6の工程に従って、前記第1のユーザ10が前記提案を受け入れる場合、前記第1の携帯電話20は、前記コンテンツと関連する前記リンクを含む前記第1のユーザ10によってダイヤルされる前記メッセージを、前記携帯電話網30を介して前記第2の携帯電話60に転送する（矢印6）。
【００４１】
その結果、前記第2のユーザ50は受け取られた前記リンクを選択できる。
【００４２】
第1のオプションに従って、前記リンクは前記サーバ40の中の前記コンテンツの位置を指定するURLアドレスを含む。この場合、第2のユーザ50が前記リンクを選択すると、前記第2の携帯電話60が前記コンテンツをダウンロードするという要求を前記サーバ40に送信する。前記第2のユーザ50は、前記コンテンツ発行者の管理下で、前記ユーザ10から受け取られる前記リンクを介して、前記コンテンツをこのようにして入手できる。
【００４３】
第2のオプションに従って、前記リンクは別のサーバ70に位置するページのURLアドレスを含む。このオプションにより、前記サーバ40のデジタルコンテンツの位置を前記第2のユーザ50から隠すことができる。
【００４４】
この場合、前記第2のユーザ50が前記リンクを選択すると、前記第2の端末60は前記サーバ70に接続する（矢印7）。
【００４５】
前記サーバ70は、前記第2のユーザ50に対し、彼がコンテンツダウンロードサービスに加入するよう提案できる。前記第2のユーザ60が、前記ダウンロードサービスに加入することを受け入れると、彼は次に前記必要とされるコンテンツをダウンロードするために前記コンテンツダウンロードサーバ40に接続できる。
【００４６】
前記サーバ70は、前記第2の携帯電話60に低品質形式でコンテンツを送信することもできる。低品質形式のコンテンツは、例えばデジタルコンテンツの抜粋から、あるいはオリジナルのデジタルコンテンツとの関連で質が下がったデジタルコンテンツから構成される場合がある。低品質形式のコンテンツは、ユーザ50が前記コンテンツを確かめ、自分がそれをダウンロードすることを希望するかどうかを決定できるようにする。
【図面の簡単な説明】
【００４７】
【図１】本発明を実現する1つの可能な方法に準じて、コンテンツの伝送のための方法の工程を概略的に説明している図である。
【符号の説明】
【００４８】
１０：第１のユーザー
２０：第１の携帯端末
３０：携帯電話網
４０：サーバー
５０：第２のユーザー
６０：第２の携帯末端
７０：他のサーバー
【図１】
2006196000.tif 000003